(57)【要約】【課題】クラブで強打したときの衝撃を和らげることが可能なゴルフティー。【解決手段】ゴルフティー１が、頂部２にゴルフボールを載せる第１支持部材６と、第１支持部材６を地面に平行な面内で回転可能に支える第２支持部材７とによって形成される。【選択図】図１
2005279014.tif 000002
【特許請求の範囲】
【請求項１】
上下方向に頂部とその反対側の基部とを有し、前記基部を地面に向けて前記頂部でゴルフボールを支持するゴルフティーであって、
前記頂部を有し前記上下方向へ延びる第１支持部材と、前記基部を有しており前記第１支持部材を前記地面と平行な面内で回転可能に支える第２支持部材とからなることを特徴とする前記ゴルフティー。
【請求項２】
前記第１支持部材が前記頂部の下方に円柱状部を有し、前記第２支持部材は前記円柱状部に外側から嵌合する環状部を有し、前記円柱状部が前記環状部の周方向へ摺動可能な状態にある請求項１記載のゴルフティー。
【請求項３】
前記第１支持部材が前記第２支持部材に形成された上方へ延びる軸部に対してその軸部の周り方向へ摺動可能に取り付けられている請求項１記載のゴルフティー。
【請求項４】
前記第１支持部材が弾性材料で形成され、前記第２支持部材が前記第１支持部材よりも硬質の材料で形成されている請求項１〜３のいずれかに記載のゴルフティー。
【請求項５】
前記第１支持部材の前記円柱状部が弾性変形して前記第２支持部材の前記環状部に嵌脱可能である請求項２または４に記載のゴルフティー。
【発明の詳細な説明】
【技術分野】
【０００１】
この発明は、ゴルフ用のティー、より詳しくはバークゴルフで使用するのに好適なティーに関する。
【背景技術】
【０００２】
従来、ゴルフ用のティーは周知である。また、ゴルフに倣ってプレーするように案出されたパークゴルフでもティーが使用される。パークゴルフ用ティーについては、国際パークゴルフ協会（北海道中川郡幕別町室町５３−１）による平成１５年９月１日付けで改定のパークゴルフ用具の基準の中で規定されている。その基準によれば、ティーの材質はラバーまたは軟質のものでなければならず、高さはティーの底辺からの高さが２３ｍｍ以下でなければならない。また、ティーにボールをおいた状態で、ティーの底辺からのボールの高さは８０ミリメートルを越えてはならない。ボールは合成樹脂製のもので、重量は８０〜９５グラム以下、大きさは直径６０±０．５ミリメートルでなければならない。
【０００３】
また、特開２００１−９０７４号公報（特許文献１）には、ゴルフ練習用のティーとして基盤部と支柱部とからなるものが開示されている。このティーは、ゴム等の弾性復元可能な材料から形成されるもので、支柱部の頂部にはゴルフボールが載せられ、基盤部には、ゴルフボールを打ったときにティーが遠くへ飛ぶことを防ぐための紐を取り付ける孔が形成されている。
【特許文献１】特開２００１−９０７４号公報
【発明の開示】
【発明が解決しようとする課題】
【０００４】
パークゴルフのボールは直径６０ｍｍを有する大きなものであるから、このボールを支持するためのティーも、一般的には径の大きなものになる。そのようなティーは、特許文献１に記載の発明に基づいてラバー等の弾性復元可能な材料で作ることができる。しかしその場合でも、ボールを打ち損ねてクラブでティーを強打したときには、クラブを握っている手に予想外の衝撃が伝わることがある。
【０００５】
この発明は、クラブでティーを強打した場合に生じるそのような衝撃を和らげることが可能なティーの提供を課題にしている。
【課題を解決するための手段および発明の効果】
【０００６】
前記課題解決のために、この発明が対象とするのは、上下方向に頂部とその反対側の基部とを有し、前記基部を地面に向けて前記頂部でゴルフボールを支持するゴルフティーであり、この発明が特徴とするところは、前記ゴルフティーが、前記頂部を有し前記上下方向へ延びる第１支持部材と、前記基部を有しており前記第１支持部材を前記地面と平行な面内で回転可能に支える第２支持部材とからなること、にある。
【０００７】
この発明に係るゴルフティーでは、地面に置かれた第２支持部材によって第１支持部材が回転可能に支えられているから、クラブでそのゴルフティーを強打したときには、第１支持部材が回転して、強打したときに手に伝わる衝撃を和らげることができる。
【０００８】
この発明の実施態様の一つにおいて、前記第１支持部材が前記頂部の下方に円柱状部を有し、前記第２支持部材は前記円柱状部に外側から嵌合する環状部を有し、前記円柱状部が前記環状部の周方向へ摺動可能な状態にある。
【０００９】
この態様のゴルフティーによれば、第２支持部材の環状部に第１支持部材の円柱状部を嵌合させることによって、第１支持部材を回転可能なものにすることができる。
【００１０】
この発明の実施態様の他の一つにおいて、前記第１支持部材が前記第２支持部材に形成された前方上方へ延びる軸部に対してその軸部の周り方向へ摺動可能に取り付けられている。
【００１１】
この態様のゴルフティーによれば、第２支持部材に形成された上方へ延びる軸部に対して第１支持部をその軸部の周り方向へ摺動可能に取り付けることによって、第１支持部材が回転可能なものになる。
【００１２】
この発明の実施態様の他の一つにおいて、前記第１支持部材が弾性材料で形成され、前記第２支持部材が前記第１支持部材よりも硬質の材料で形成されている。
【００１３】
この態様のゴルフティーでは、第１支持部材を第２支持部材に組み付けるときに、形状の固定された第２支持部材の環状部に対して、第１支持部材が弾性変形するので、これら両部材の組み付けが容易になる。
【発明を実施するための最良の形態】
【００１４】
添付の図面を参照してこの発明に係るゴルフティーの詳細を説明すると、以下のとおりである。
【００１５】
図１に部分破断斜視図で示されたゴルフティー１は、パークゴルフに好適なもので、垂直な上下方向Ｈの上方に頂部２を有する一方、それとは反対側の下方に基部３を有し、基部３を地面に向けて頂部２にボール１０（図２参照）を載せることができる。かかるティー１は、ボール１０を支えることができる第１支持部材６と、第１支持部材６を回転可能に支える第２支持部材７とからなるもので、第１支持部材６は、円柱状の下部８と、下部８から上方へ延びる８本の支腕９で形成された上部１１とを有し、第２支持部材７は、第１支持部材６の下部８に外側から嵌合している環状部１２と、環状部１２から図の左方へ延びる突出部１３とを有する。ティー１の頂部２は、第１支持部材６における８本の支腕９それぞれの頂部によって形成され、底部３は、第１支持部材６における下部８と第２支持部材７における環状部１２とによって形成されている。
【００１６】
図２は、図１のＩＩ−ＩＩ線断面図であって、パークゴルフ用のボール１０が仮想線で示されている。第１支持部材６の上部１１では、細く延びた支腕９の頂部がボール１０に点接触するように形成されているので、ボール１０を打ったときのボール１０とティー１との間の摩擦抵抗が小さく、ボール１０に大きな力を与えることができる。第１支持部材６の下部８は、第２支持部材７と向かい合う周面１６に溝１７を有し、径方向の中央部分１８が盛り上がって山形を成している。第１支持部材６の重量は、この中央部分１８の山の高さを変えることによって調整することができる。第２支持部材７は、第１支持部材６と向かい合う周面２１に溝１７に摺動可能に嵌合するリブ２２を有し、突出部１３に透孔２３を有する。第２支持部材７の底面２４は水平面を成すように形成されており、第１支持部材６の底面２６と同一面を成すか、または底面２６よりも図２において下方に位置するように形成されている。
【００１７】
第１支持部材６と第２支持部材７とが図の如く嵌合しているティー１では、これら両部材６，７の一方を固定すると、もう一方が図１に双頭矢印Ａで示されたこれら両部材６，７の周方向へ回転可能である。また、ティー１を地面（図示せず）に置くときには、第２支持部材７の透孔２３に紐（図示せず）を通し、その紐の先に取り付けたアンカー用金具を地面に差し込むことで、ボール１０を打ったときの衝撃でティー１が遠くへ飛ぶということがない。第１支持部材６は、天然ゴムやシリコンゴム、ウレタンゴム等であって柔軟性を有するエラストマーで作ることができる。第２支持部材７は、第１支持部材と同じ材料で作ることも可能であるが、好ましくは、第１支持部材６の材料よりも硬質のエラストマーで作り、第１支持部材６の下部８よりも変形し難いものにする。第１支持部材６が第２支持部材７よりも変形し易いティー１では、その第１支持部材６を弾性変形させることにより、第２支持部材７に対して容易に嵌合、離脱させることができる。そのようなティー１はまた、それを製造する過程において第１支持部材６と第２支持部材との組み付けが容易になるばかりでなく、ティー１の使用者には、第１支持部材６や第２支持部材７を好みの色のものに交換することが容易になる。さらにはまた、ティー１に載せたボール１０をクラブ（図示せず）で打つときに、誤ってティー１の第１支持部材６を強打したときには、その第１支持部材６が矢印Ａ方向へ回転して、クラブを持った手に伝わる衝撃を和らげることができる。ティー１を地面に置いたときに、基部３のうちで第２支持部材７の底面２４が地面に接する一方、第１支持部材６の底面２６が地面よりも上にあるようにティー１を作るならば、底面２６で地面をこすることがないので、第１支持部材６は回転し易いものになる。
【００１８】
図３は、実施態様の一例を示す図２と同様な図である。図示例のティー１は、第１支持部材６と第２支持部材７とからなるものであるが、第１支持部材６はそれに形成された中央部透孔３１に第２支持部材７から上方へ延びる軸部３２が通され、その軸部３２のねじ部３３に袋ナット３４が取り付けられている。第１支持部材６は、軸部３２を中心に回転可能であって、袋ナット３４によって軸部３２からの抜脱が防がれている。かようなティー１では、第１支持部材６の底面２６が第２支持部材７の頂面２７に摺動可能に接触していて地面（図示せず）に触れることがないから、たとえ地面に凹凸があっても、第１支持部材６の回転はその凹凸の影響を受けることがない。袋ナット３４を外すことによって、第１支持部材６または第２支持部材７を交換することができる。
【産業上の利用可能性】
【００１９】
この発明によれば、ティーを強打したときにクラブを持った手に伝わる衝撃を和らげることが可能なゴルフティーの製造が可能になる。
【図面の簡単な説明】
【００２０】
【図１】ゴルフティーの部分破断斜視図。
【図２】図１のＩＩ−ＩＩ線断面図。
【図３】実施態様の一例を示す図２と同様な図。
【符号の説明】
【００２１】
１    ゴルフティー
２    頂部
３    基部
６    第１支持部材
７    第２支持部材
８    円柱状部（下部）
１０    ボール
１２    環状部
３２    軸部
【図１】
2005279014.tif 000003
【図２】
2005279014.tif 000004
【図３】
2005279014.tif 000005